(57)【要約】  加熱調理器（２０）は、静電容量式のタッチスイッチである電源スイッチ（３）を備える。電源回路（６Ａ）は基板上コネクタ（７Ａ）を備え、電源回路（６Ｂ）は基板上コネクタ（７Ｂ）と、電源スイッチ（３）と連動してオンオフするスイッチ（８Ｂ）とを備える。第１の配線用コネクタ（１０Ａ）は、基板上コネクタ（７Ａ）の接点（ａ）を接点（ｃ）に接続し、これにより、電源回路（６Ａ）のスイッチング電源（５Ａ）は待機時も動作する。第２の配線用コネクタ（１０Ｂ）は、基板上コネクタ（７Ｂ）の接点（ａ）を接点（ｂ）に接続し、これにより、電源スイッチ（３）がオンされているときにのみ電源回路（６Ａ）のスイッチング電源（５Ａ）は動作する。
2012160785.tif 000002
【特許請求の範囲】
【請求項１】
静電容量式のタッチスイッチである電源スイッチと、
第１の加熱部と、
前記第１の加熱部を制御する第１の制御回路と、
交流電源からの交流電力に基づいて所定の第１の直流電力を生成して前記第１の制御回路に供給する第１のスイッチング電源を備えた第１の電源回路と、
少なくとも１つの第２の加熱部と、
前記各第２の加熱部をそれぞれ制御する少なくとも１つの第２の制御回路と、
前記交流電源からの交流電力に基づいて所定の第２の直流電力を生成して前記各第２の制御回路に供給する第２のスイッチング電源を備えた少なくとも１つの第２の電源回路とを備えた加熱調理器において、
前記電源スイッチは、前記第１のスイッチング電源からの前記第１の直流電力が通電されて動作され、
前記第１の電源回路は、前記交流電源に接続された第１の接点と、第２の接点と、前記第１のスイッチング電源に接続された第３の接点とを有する第１の基板上コネクタをさらに備え、
前記各第２の電源回路は、
前記交流電源に接続された第４の接点と、第５の接点と、前記第２のスイッチング電源に接続された第６の接点とを有する第２の基板上コネクタと、
前記第５及び第６の接点の間に接続されかつ前記電源スイッチと連動してオンオフする第１の切換手段とをさらに備え、
前記加熱調理器は、
前記第１の基板上コネクタの第１の接点を前記第１の基板上コネクタの第３の接点に接続する第１の接続手段と、
前記各第２の基板上コネクタの第４の接点を前記各第２の基板上コネクタの第５の接点にそれぞれ接続する少なくとも１つの第２の接続手段とをさらに備えたことを特徴とする加熱調理器。
【請求項２】
前記第１の電源回路は、前記第２及び第３の接点の間に接続されかつ前記電源スイッチと連動してオンオフする第２の切換手段をさらに備え、
前記第１及び前記各第２の電源回路は、互いに同一の基板レイアウト及び互いに同一の回路構成を有することを特徴とする請求項１記載の加熱調理器。
【請求項３】
前記第１の接続手段は、前記第１の基板上コネクタに抜き挿し可能に形成され、
前記各第２の接続手段は、前記第２の基板上コネクタに抜き挿し可能に形成されたことを特徴とする請求項１又は２記載の加熱調理器。
【請求項４】
前記第１の基板上コネクタの第１の接点を前記第１の基板上コネクタの第３の接点に接続する第１の接続配線導体と、前記第１の基板上コネクタの第１の接点を前記第１の基板上コネクタの第２の接点に接続する第２の接続配線導体とを前記第１の電源回路の基板上に形成した後、前記第２の接続配線導体をレーザーでカットすることにより前記第１の接続手段を構成し、
前記各第２の基板上コネクタの第４の接点を前記各第２の基板上コネクタの第６の接点に接続する第３の接続配線導体と、前記各第２の基板上コネクタの第４の接点を前記各第２の基板上コネクタの第５の接点に接続する第４の接続配線導体とを前記各第２の電源回路の基板上に形成した後、前記各第３の接続配線導体をレーザーでカットすることにより前記各第２の接続手段を構成したことを特徴とする請求項１又は２記載の加熱調理器。
【請求項５】
前記各第２の基板上コネクタの第１の切換手段はリレーであり、
前記リレーは、前記第１のスイッチング電源からの前記第１の直流電力が通電されて動作されることを特徴とする請求項１から４までのうちのいずれか１つに記載の加熱調理器。
【発明の詳細な説明】
【技術分野】
【０００１】
本発明は、鍋などの被加熱物を加熱して調理を行う加熱調理器に関する。
【背景技術】
【０００２】
図６は、従来技術に係る加熱調理器１２０の構成を示すブロック図である。図６において、加熱調理器１２０は、複数の加熱部１と、各加熱部１をそれぞれ制御する複数の制御回路１０２と、各制御回路１０２にそれぞれ交流（ＡＣ）電力及び直流（ＤＣ）電力を供給する複数の電源回路１０６と、調理に用いる加熱部１を選択して選択された加熱部１の火力を操作するための操作部１０４と、加熱調理器１２０の電源をオンオフするための機械式の電源スイッチ１０３と、コンセント９０とを備えて構成される。また、各電源回路１０６は、フィルタ１０９とスイッチング電源１０５とを備えて構成される。ここで、スイッチ１０３はコンセント９０に直列に接続され、各電源回路１０６はスイッチ１０３に対して並列に接続される。【０００３】
図６において、商用交流電源からの交流電力はコンセント９０及びスイッチ１０３を介して各電源回路１０６のフィルタ１０９に供給される。フィルタ１０９は、入力される交流電力からノイズを除去して後段の制御回路１０２及びスイッチング電源１０５に出力する。各電源回路１０６において、スイッチング電源１０５はノイズ除去後の交流電力を所定の直流電力に変換して後段の制御回路１０２に出力する。なお、複数のスイッチング電源１０５のうち、例えば操作部１０４に最も近い電源回路１０６のスイッチング電源１０５は、直流電力を操作部１０４にも供給する。従来技術に係る加熱調理器１２０によれば、待機時は電源スイッチ１０３がオフされ、すべての電源回路１０６に対して交流電力の供給が遮断される。【０００４】
なお、特許文献１には、電源スイッチのオフ後においても、加熱庫の状況に応じて冷却ファンモータを駆動して、制御部品を保護する加熱調理器が記載されている。また、特許文献２には、待機時における電力の消費電力を低減する液晶ディスプレイ装置が記載されている。
【先行技術文献】
【特許文献】
【０００５】
【特許文献１】特開２００１−３５１７７３号公報
【特許文献２】特開２００１−３３７６５６号公報
【発明の概要】
【発明が解決しようとする課題】
【０００６】
近年、デザイン上及び構造上の観点から、電子機器の電源スイッチとして機械式のスイッチが利用されることは減ってきており、指で触ってオンオフする静電容量式のタッチスイッチ（静電タッチ式電源スイッチ）が一般的に利用されている。静電容量式のタッチスイッチは、スイッチ内の電極と指とにより形成されるコンデンサの静電容量変化を電子回路により検出し、当該検出結果を示す信号を出力する。このため、使用者がいつ電源スイッチに触れてもすぐに電子機器の電源を立ち上げるためには、上述した電子回路に電力を常に供給する必要がある。【０００７】
図６の従来技術に係る加熱調理器１２０において、機械式の電源スイッチ１０３に代えて静電容量式の電源スイッチを用いる場合、複数のスイッチング電源１０５のうちの１つのスイッチング電源１０５から出力される直流電力を、待機時も含めて常に、静電容量式の電源スイッチに供給すればよい。しかしながら、図６の加熱調理器１２０の場合、上述した１つのスイッチング電源１０５のみが動作すればよい待機時であっても、すべてのスイッチング電源１０５に交流電力が供給され、動作する必要がないスイッチング電源１０５も動作するため、待機時に無駄に電力を消費するという課題があった。【０００８】
本発明の目的は以上の問題点を解決し、比較的簡単な構成により、従来技術に比較して待機時の消費電力を削減できる加熱調理器を提供することにある。
【課題を解決するための手段】
【０００９】
本発明に係る加熱調理器は、
静電容量式のタッチスイッチである電源スイッチと、
第１の加熱部と、
前記第１の加熱部を制御する第１の制御回路と、
交流電源からの交流電力に基づいて所定の第１の直流電力を生成して前記第１の制御回路に供給する第１のスイッチング電源を備えた第１の電源回路と、
少なくとも１つの第２の加熱部と、
前記各第２の加熱部をそれぞれ制御する少なくとも１つの第２の制御回路と、
前記交流電源からの交流電力に基づいて所定の第２の直流電力を生成して前記各第２の制御回路に供給する第２のスイッチング電源を備えた少なくとも１つの第２の電源回路とを備えた加熱調理器において、
前記電源スイッチは、前記第１のスイッチング電源からの前記第１の直流電力が通電されて動作され、
前記第１の電源回路は、前記交流電源に接続された第１の接点と、第２の接点と、前記第１のスイッチング電源に接続された第３の接点とを有する第１の基板上コネクタをさらに備え、
前記各第２の電源回路は、
前記交流電源に接続された第４の接点と、第５の接点と、前記第２のスイッチング電源に接続された第６の接点とを有する第２の基板上コネクタと、
前記第５及び第６の接点の間に接続されかつ前記電源スイッチと連動してオンオフする第１の切換手段とをさらに備え、
前記加熱調理器は、
前記第１の基板上コネクタの第１の接点を前記第１の基板上コネクタの第３の接点に接続する第１の接続手段と、
前記各第２の基板上コネクタの第４の接点を前記各第２の基板上コネクタの第５の接点にそれぞれ接続する少なくとも１つの第２の接続手段とをさらに備えたことを特徴とする。【００１０】
上記加熱調理器において、
前記第１の電源回路は、前記第２及び第３の接点の間に接続されかつ前記電源スイッチと連動してオンオフする第２の切換手段をさらに備え、
前記第１及び前記各第２の電源回路は、互いに同一の基板レイアウト及び互いに同一の回路構成を有することを特徴とする請求項１記載の加熱調理器。【００１１】
また、上記加熱調理器において、
前記第１の接続手段は、前記第１の基板上コネクタに抜き挿し可能に形成され、
前記各第２の接続手段は、前記第２の基板上コネクタに抜き挿し可能に形成されたことを特徴とする。【００１２】
さらに、上記加熱調理器において、
前記第１の基板上コネクタの第１の接点を前記第１の基板上コネクタの第３の接点に接続する第１の接続配線導体と、前記第１の基板上コネクタの第１の接点を前記第１の基板上コネクタの第２の接点に接続する第２の接続配線導体とを前記第１の電源回路の基板上に形成した後、前記第２の接続配線導体をレーザーでカットすることにより前記第１の接続手段を構成し、
前記各第２の基板上コネクタの第４の接点を前記各第２の基板上コネクタの第６の接点に接続する第３の接続配線導体と、前記各第２の基板上コネクタの第４の接点を前記各第２の基板上コネクタの第５の接点に接続する第４の接続配線導体とを前記各第２の電源回路の基板上に形成した後、前記各第３の接続配線導体をレーザーでカットすることにより前記各第２の接続手段を構成したことを特徴とする。【００１３】
またさらに、上記加熱調理器において、
前記各第２の基板上コネクタの第１の切換手段はリレーであり、
前記リレーは、前記第１のスイッチング電源からの前記第１の直流電力が通電されて動作されることを特徴とする。
【発明の効果】
【００１４】
本発明に係る加熱調理器によれば、第１の電源回路は、交流電源に接続された第１の接点と、第２の接点と、第１のスイッチング電源に接続された第３の接点とを有する第１の基板上コネクタをさらに備え、各第２の電源回路は、交流電源に接続された第４の接点と、第５の接点と、第２のスイッチング電源に接続された第６の接点とを有する第２の基板上コネクタと、第５及び第６の接点の間に接続されかつ電源スイッチと連動してオンオフする第１の切換手段とをさらに備え、加熱調理器は、第１の基板上コネクタの第１の接点を第１の基板上コネクタの第３の接点に接続する第１の接続手段と、各第２の基板上コネクタの第４の接点を各第２の基板上コネクタの第５の接点にそれぞれ接続する少なくとも１つの第２の接続手段とをさらに備えたので、電源スイッチがオフされている待機時に第１のスイッチング電源に通電して動作させ、かつ他の第２のスイッチング回路への電力供給を遮断して動作を停止させることができ、比較的簡単な構成により従来技術に比較して待機電力を大幅に削減できる。
【図面の簡単な説明】
【００１５】
【図１】本発明の実施の形態１に係る加熱調理器２０の構成を示すブロック図である。
【図２】図１の第１の配線用コネクタ１０Ａと、基板上コネクタ７Ａと、スイッチ８Ａと、電源スイッチ３とを示す回路図である。
【図３】図１の第２の配線用コネクタ１０Ｂと、基板上コネクタ７Ｂと、スイッチ８Ｂと、電源スイッチ３とを示す回路図である。
【図４】本発明の実施の形態２に係る加熱調理器に用いられる接続配線導体１１Ａ及び１１Ｂを示す回路図である。
【図５】本発明の実施の形態３に係る加熱調理器において、図１の電源回路６Ｂに設けられる第２の配線用コネクタ１０Ｂ、基板上コネクタ７Ｂ、及びリレー８Ｃと、電源スイッチ３とを示す回路図である。
【図６】従来技術に係る加熱調理器１２０の構成を示すブロック図である。
【発明を実施するための形態】
【００１６】
詳細後述するように、第１の態様に係る加熱調理器は、静電容量式のタッチスイッチである電源スイッチと、第１の加熱部と、前記第１の加熱部を制御する第１の制御回路と、交流電源からの交流電力に基づいて所定の第１の直流電力を生成して前記第１の制御回路に供給する第１のスイッチング電源を備えた第１の電源回路と、少なくとも１つの第２の加熱部と、前記各第２の加熱部をそれぞれ制御する少なくとも１つの第２の制御回路と、前記交流電源からの交流電力に基づいて所定の第２の直流電力を生成して前記各第２の制御回路に供給する第２のスイッチング電源を備えた少なくとも１つの第２の電源回路とを備えた加熱調理器において、前記電源スイッチは、前記第１のスイッチング電源からの前記第１の直流電力が通電されて動作され、前記第１の電源回路は、前記交流電源に接続された第１の接点と、第２の接点と、前記第１のスイッチング電源に接続された第３の接点とを有する第１の基板上コネクタをさらに備え、前記各第２の電源回路は、前記交流電源に接続された第４の接点と、第５の接点と、前記第２のスイッチング電源に接続された第６の接点とを有する第２の基板上コネクタと、前記第５及び第６の接点の間に接続されかつ前記電源スイッチと連動してオンオフする第１の切換手段とをさらに備え、前記加熱調理器は、前記第１の基板上コネクタの第１の接点を前記第１の基板上コネクタの第３の接点に接続する第１の接続手段と、前記各第２の基板上コネクタの第４の接点を前記各第２の基板上コネクタの第５の接点にそれぞれ接続する少なくとも１つの第２の接続手段とをさらに備えたことを特徴とする。
【００１７】
従って、電源スイッチがオフしている待機時に、第１及び第２の電源回路のうち第１の電源回路の第１のスイッチング電源に通電して動作させ、かつ第２の電源回路の第２のスイッチング電源には電力を供給しないので、従来技術に比較して待機電力を減らすことができる。
【００１８】
第２の態様に係る加熱調理器は、第１の態様に係る加熱調理器において、前記第１の電源回路は、前記第２及び第３の接点の間に接続されかつ前記電源スイッチと連動してオンオフする第２の切換手段をさらに備え、前記第１及び前記各第２の電源回路は、互いに同一の基板レイアウト及び互いに同一の回路構成を有することを特徴とする。
【００１９】
従って、設計の効率化、製造の効率化、使用部品の共通化を図ることができる。また、一般に、加熱調理器のデザイン及び設計の制約により、加熱調理器の左端又は右端などのどの部分に電源スイッチが設けられるか分からないが、どこに電源スイッチが配置されても、第１の配線用コネクタを用いるか、又は第２の配線用コネクタを用いるかによって、物理的に一番都合の良い（例えば、電源スイッチに最も近い）電源回路から電源スイッチに電力を供給でき、加熱調理器のレイアウトに依存せずに従来技術に比較して待機電力を削減できる。
【００２０】
第３の態様に係る加熱調理器は、第１又は第２の態様に係る加熱調理器において、前記第１の接続手段は、前記第１の基板上コネクタに抜き挿し可能に形成され、前記各第２の接続手段は、前記第２の基板上コネクタに抜き挿し可能に形成されたことを特徴とする。
【００２１】
従って、第１の基板上コネクタに第１の配線用コネクタを挿して接続し、第２の基板上コネクタに第２の配線用コネクタを挿して接続するだけで、従来技術に比較して待機電力を削減できる。
【００２２】
第４の態様に係る加熱調理器は、第１又は第２の態様に係る加熱調理器において、前記第１の基板上コネクタの第１の接点を前記第１の基板上コネクタの第３の接点に接続する第１の接続配線導体と、前記第１の基板上コネクタの第１の接点を前記第１の基板上コネクタの第２の接点に接続する第２の接続配線導体とを前記第１の電源回路の基板上に形成した後、前記第２の接続配線導体をレーザーでカットすることにより前記第１の接続手段を構成し、前記各第２の基板上コネクタの第４の接点を前記各第２の基板上コネクタの第６の接点に接続する第３の接続配線導体と、前記各第２の基板上コネクタの第４の接点を前記各第２の基板上コネクタの第５の接点に接続する第４の接続配線導体とを前記各第２の電源回路の基板上に形成した後、前記各第３の接続配線導体をレーザーでカットすることにより前記各第２の接続手段を構成したことを特徴とする。
【００２３】
従って、不要な接続配線導体をレーザーでカットするだけで、第１及び第２の電源回路を実現できる。
【００２４】
第５の態様に係る加熱調理器は、第１から第４までのいずれか１つの態様に係る加熱調理器において、前記各第２の基板上コネクタの第１の切換手段はリレーであり、前記リレーは、前記第１のスイッチング電源からの前記第１の直流電力が通電されて動作されることを特徴とする。
【００２５】
従って、第１の切換手段としてリレーを用いることができる。
【００２６】
以下、本発明に係る実施の形態について図面を参照して説明する。なお、同様の構成要素については同一の符号を付している。
【００２７】
（実施の形態１）
図１は、本発明の実施の形態１に係る加熱調理器２０の構成を示すブロック図である。また、図２は、図１の第１の配線用コネクタ１０Ａと、基板上コネクタ７Ａと、スイッチ８Ａと、電源スイッチ３とを示す回路図であり、図３は、図１の第２の配線用コネクタ１０Ｂと、基板上コネクタ７Ｂと、スイッチ８Ｂと、電源スイッチ３とを示す回路図である。
【００２８】
図１において、加熱調理器２０は、１つの加熱部１Ａと、ＤＣ／ＤＣコンバータ１２を備え加熱部１Ａを制御する制御回路２Ａと、制御回路２Ａに交流電力及び直流電力を供給する電源回路６Ａと、電源回路６Ａに接続される第１の配線用コネクタ１０Ａと、少なくとも１つの加熱部１Ｂと、各加熱部１Ｂをそれぞれ制御する少なくとも１つの制御回路２Ｂと、各制御回路２Ａに交流電力及び直流電力をそれぞれ供給する少なくとも１つの電源回路６Ｂと、各電源回路６Ｂにそれぞれ接続される少なくとも１つの第２の配線用コネクタ１０Ｂと、操作部４と、コンセント９０とを備えて構成される。また、操作部４は、静電容量式のタッチスイッチである電源スイッチ３を備えて構成される。なお、操作部４は、使用者が加熱部１Ａ，１Ｂのうち調理に用いる加熱部を選択し、選択された加熱部の火力を操作するため指示信号を入力するためのボタンなどの入力インタフェース（図示せず。）をさらに備え、入力される指示信号を各制御回路２Ａ，２Ｂに出力する。また、電源回路６Ａは、フィルタ９Ａと、スイッチング電源５Ａと、スイッチ８Ａと、基板上コネクタ７Ａとを備えて構成され、電源回路６Ｂは、フィルタ９Ｂと、スイッチング電源５Ｂと、スイッチ８Ｂと、基板上コネクタ７Ｂとを備えて構成される。ここで、各スイッチ８Ａ及び８Ｂは、電源スイッチ３と連動してオンオフする。
【００２９】
図２において、基板上コネクタ７Ａは接点ａ，ｂ及びｃを有する。ここで、電源回路６Ａの基板上コネクタ７Ａの接点ａはフィルタ９Ａ及びコンセント９０を介して商用交流電源に接続され、基板上コネクタ７の接点ｂはスイッチ８Ａの接点ｂに接続され、基板上コネクタ７Ａの接点ｃはスイッチ８Ａの接点ｃ及びスイッチング電源５Ａに接続される。また、第１の配線用コネクタ１０Ａは、基板上コネクタ７Ａの接点ａを基板上コネクタ７の接点ｃに接続する。
【００３０】
図３において、基板上コネクタ７Ｂは接点ａ，ｂ及びｃを有する。ここで、電源回路６Ｂの基板上コネクタ７Ｂの接点ａはフィルタ９Ｂ及びコンセント９０を介して商用交流電源に接続されに接続され、基板上コネクタ７Ｂの接点ｂはスイッチ８Ｂの接点ｂに接続され、基板上コネクタ７Ｂの接点ｃはスイッチ８Ｂの接点ｃ及びスイッチング電源５Ｂに接続される。また、第１の配線用コネクタ１０Ａは、基板上コネクタ７Ｂの接点ａを基板上コネクタ７Ｂの接点ｂに接続する。
【００３１】
図１において、電源回路６Ａ及び６Ｂの各フィルタ９Ａ及び９Ｂは、コンセント９０を介して商用交流電源に並列に接続される。さらに、図２に示すように、電源回路６Ａのフィルタ９Ａは、入力される交流電力からノイズを除去して後段の制御回路２Ａに出力するとともに、基板上コネクタ７Ａの接点ａと、第１の配線用コネクタ１０Ａと、基板上コネクタ７Ａの接点ｃとを介してスイッチング電源５Ａに出力する（図２参照。）。ここで、電源スイッチ３がオンされているか否かに関係なく、フィルタ９Ａからの交流電力はスイッチング電源５Ａに常に供給される。また、スイッチング電源５Ａは、ノイズ除去後の交流電力に基づいて所定の直流電力を生成して、制御回路２ＡのＤＣ／ＤＣコンバータ１２に出力する。さらに、ＤＣ／ＤＣコンバータ１２は、入力される直流電力を、電源スイッチ３を動作させるための所定の直流電力に変換して電源スイッチ３に出力する。制御回路２Ａは、操作部４からの指示信号に従って後段の加熱部１Ａを制御する。
【００３２】
また、図３において、スイッチ８Ｂが電源スイッチ３に連動してオンしているとき、各電源回路６Ｂのフィルタ９Ｂは、入力される交流電力からノイズを除去して後段の制御回路２Ｂに出力するとともに、基板上コネクタ７Ｂの接点ａと、第２の配線用コネクタ１０Ｂと、スイッチ８Ｂとを介してスイッチング電源５Ｂに出力する。また、スイッチング電源５Ｂは、ノイズ除去後の交流電力に基づいて所定の直流電力を生成して制御回路２Ｂに出力する。制御回路２Ｂは、操作部４からの指示信号に従って後段の加熱部１Ｂを制御する。なお、スイッチ８Ａ及び８Ｂが電源スイッチ３に連動してオフしている待機状態において、フィルタ９Ｂからの交流電力はスイッチング電源５Ｂに出力されず、これにより、スイッチング電源５Ｂは動作を停止する。
【００３３】
従って、本実施の形態によれば、電源スイッチ３がオフされている待機状態において、スイッチング電源５Ａは動作するので、ＤＣ／ＤＣコンバータ１２はスイッチング電源５Ａからの直流電力に基づいて電源スイッチを動作させるための直流電力を生成する。従って、待機状態において電源スイッチ３はスイッチング電源５Ａからの直流電力がＤＣ／ＤＣコンバータ１２を介して通電されて動作され、使用者がいつ電源スイッチ３に触れても加熱調理器２０の電源が立ち上がるように待機している。一方、待機状態において、各電源回路６Ｂのスイッチング電源５Ｂは動作を停止している。さらに、待機状態において使用者が電源スイッチ３に触れると、電源スイッチ３がオンされ、すべてのスイッチ８Ａ及び８Ｂがオンされる。そして、電源回路６Ｂのフィルタ９Ｂからの交流電力は、第２の配線用コネクタ１０Ｂと、スイッチ８Ｂとを介して、スイッチング電源５Ｂに出力される。すなわち、電源スイッチ３がオンされたときにのみ、交流電力は電源回路６Ｂのスイッチング電源５Ｂに供給される。
【００３４】
以上説明したように、本実施の形態によれば、待機状態において、１つの電源回路６Ａのスイッチング電源５Ａのみに通電して動作させ、他の電源回路６Ｂのスイッチング電源５Ｂへの電力供給を遮断して動作を停止させるので、従来技術に比較して待機時の消費電力を大幅に削減できる。また、例えば、従来技術に係る図６の加熱調理器１２０の各電源回路１０６に、スイッチ８Ａと、基板上コネクタ７Ａと、第１の配線用コネクタ１０Ａとを追加するだけで電源回路６Ａを実現し、スイッチ８Ｂと、基板上コネクタ７Ｂと、第２の配線用コネクタ１０Ｂとを追加するだけで電源回路６Ｂを実現できる。従って、比較的簡単な構成により加熱調理器２０を実現できる。
【００３５】
また、一般に、図１において、電源回路６Ａ及び６Ｂの回路構成、基板レイアウト、基板形状及び搭載されている部品の種類は互いに異なり、加熱調理器２０は、部品のレイアウトや部品の種類が違う複数の電源回路６Ａ及び６Ｂを備えることがある。しかしながら、好ましくは、各電源回路６Ａ及び６Ｂの回路構成、基板レイアウト、基板形状及び搭載されている部品の種類を共通にして、同一の基板レイアウト及び同一の回路構成を有するように設計する。これにより、加熱調理器２０の設計の効率化、製造の効率化、お呼びし用部品の共通化を図ることができる。さらに、第１の配線用コネクタ１０Ａを基板上コネクタ７Ａに抜き挿し可能に形成し、第２の配線用コネクタ１０Ｂを基板上コネクタ７Ｂに抜き挿し可能に形成すれば、同一の基板レイアウトを有する基板上コネクタ７Ａ及び７Ｂに第１の配線用コネクタ１０Ａを挿して接続するか、第２の配線用コネクタ１０Ｂを挿して接続するかによって、同一の基板レイアウト及び同一の回路構成を有する電源回路を、電源スイッチ３に直流電力を供給するための電源回路６Ａ、又は待機時にスイッチング電源５Ｂに給電しない電源回路６Ｂに容易に切り換えることができる。
【００３６】
また、加熱調理器２０のデザイン及び設計の制約により、加熱調理器２０の左端又は右端などのいずれの位置に電源スイッチ３が配置されても、同一の基板レイアウトを有する基板上コネクタ７Ａ及び７Ｂに第１の配線用コネクタ１０Ａを挿して接続するか、第２の配線用コネクタ１０Ｂを挿して接続するかによって、同一の基板レイアウト及び同一の回路構成を有する電源回路のうち、例えば電源スイッチ３に最も近い電源回路を電源回路６Ａに切り換え、その他の電源回路を電源回路６Ｂに切り換えることができる。本実施の形態によれば、加熱調理器２０のレイアウトによらずに、従来技術に比較して待機電力を削減でき、加熱調理器２０の設計の効率化、生産の効率化及び使用部品の共通化を図ることができる。
【００３７】
（実施の形態２）
図４は、本発明の実施の形態２に係る加熱調理器に用いられる接続配線導体１１Ａ及び１１Ｂを示す回路図である。本実施の形態に係る加熱調理器は、実施の形態１に係る加熱調理器２０に比較して、第１の配線用コネクタ１０Ａ及び第２の配線用コネクタ１０Ｂに代えて、接続配線導体１１Ａ及び１１Ｂを備えた点のみが異なる。以下、実施の形態１との相違点のみを説明する。
【００３８】
図４において、電源回路６Ａの製造工程において、基板上コネクタ７Ａの接点ａを基板上コネクタ７Ａの接点ｃに接続する接続配線導体１１Ａと、基板上コネクタ７Ａの接点ａを基板上コネクタ７Ａの接点ｂに接続する接続配線導体１１Ｂとを電源回路６Ａの基板上に形成した後、接続配線導体１１Ｂをレーザーでカットする。また、電源回路６Ｂの製造工程において、基板上コネクタ７Ｂの接点ａを基板上コネクタ７Ｂの接点ｃに接続する接続配線導体１１Ａと、基板上コネクタ７Ｂの接点ａを基板上コネクタ７Ｂの接点ｂに接続する接続配線導体１１Ｂとを電源回路６Ｂの基板上に形成した後、接続配線導体１１Ａをレーザーでカットする。
【００３９】
本実施の形態によれば、接続配線導体１１Ａ及び１１Ｂを備えた電源回路６Ａ及び６Ｂを製造した後に、各電源回路６Ａ、６Ｂの接続配線導体１１Ｂ、１１Ａをレーザーでカットするだけで、従来技術に比較して、待機時の消費電力を大幅に削減できる。本実施の形態は、実施の形態１と同様の作用効果を有する。
【００４０】
（実施の形態３）
図５は、本発明の実施の形態３に係る加熱調理器において、図１の電源回路６Ｂに設けられる第２の配線用コネクタ１０Ｂ、基板上コネクタ７Ｂ、及びリレー８Ｃと、電源スイッチ３とを示す回路図である。本実施の形態は、実施の形態１に係る加熱調理器２０に比較して、各電源回路６Ｂにおいてスイッチ８Ｂに代えてリレー８Ｃを備えた点のみが異なる。以下、実施の形態１との相違点のみを説明する。
【００４１】
図５において、リレー８Ｃは基板上コネクタ７Ｂの接点ｂと基板上コネクタ７Ｂの接点ｃとの間に接続され、電源スイッチ３と連動してオンオフする。ここで、リレー８Ｃのコイルには、待機時にも動作している唯一の電源回路６Ａのスイッチング電源５Ａからの直流電力に基づいて生成される直流電力が通電されて動作される。具体的には、スイッチング電源５Ａからの直流電力は、ＤＣ／ＤＣコンバータ１２によって所定の直流電力に変換されて操作部４に供給され、操作部４からリレー８Ｃのコイルに供給される。あるいは、スイッチング電源５Ａからの直流電力を、直接、リレー８Ｃのコイルに供給してもよい。
【００４２】
従って、本実施の形態によれば、電源回路６Ａのスイッチング電源５Ａからの直流電力により待機時にも各リレー８Ｃを動作させることができる。
【００４３】
なお、前記各実施の形態において、ＤＣ／ＤＣコンバータ１２からの直流電力を電源スイッチ３に供給したが、本発明はこれに限られず、待機時に動作する電源回路６Ａのスイッチング電源５Ａからの直流電力に基づいて、電源スイッチ３を動作させるための直流電力を生成して電源スイッチ３に通電して動作させればよい。
【００４４】
また、上記各実施の形態において、電源回路６Ａはスイッチ８Ａを備えたが、本発明はこれに限られず、スイッチ８Ａを備えなくてもよい。
【産業上の利用可能性】
【００４５】
以上説明したように、本発明に係る加熱調理器によれば、第１の電源回路は、交流電源に接続された第１の接点と、第２の接点と、第１のスイッチング電源に接続された第３の接点とを有する第１の基板上コネクタをさらに備え、各第２の電源回路は、交流電源に接続された第４の接点と、第５の接点と、第２のスイッチング電源に接続された第６の接点とを有する第２の基板上コネクタと、第５及び第６の接点の間に接続されかつ電源スイッチと連動してオンオフする第１の切換手段とをさらに備え、加熱調理器は、第１の基板上コネクタの第１の接点を第１の基板上コネクタの第３の接点に接続する第１の接続手段と、各第２の基板上コネクタの第４の接点を各第２の基板上コネクタの第５の接点にそれぞれ接続する少なくとも１つの第２の接続手段とをさらに備えたので、電源スイッチがオフされている待機時に第１のスイッチング電源に通電して動作させ、かつ他の第２のスイッチング回路への電力供給を遮断して動作を停止させることができ、比較的簡単な構成により従来技術に比較して待機電力を大幅に削減できる。【００４６】
従って、本発明に係る加熱調理器を、複数の電源回路を搭載した家庭用又は業務用の加熱調理器に適用できる。
【符号の説明】
【００４７】
１Ａ，１Ｂ…加熱部、
２Ａ，２Ｂ…制御回路、
３…静電容量式のタッチスイッチである電源スイッチ、
４…操作部、
５Ａ，５Ｂ…スイッチング電源、
６Ａ，６Ｂ…電源回路、
７Ａ，７Ｂ…基板上コネクタ、
８Ａ，８Ｂ…電源スイッチ３と連動してオンオフするスイッチ、
８Ｃ…電源スイッチ３と連動してオンオフするリレー、
９Ａ，９Ｂ…フィルタ、
１０Ａ…第１の配線用コネクタ、
１０Ｂ…第２の配線用コネクタ、
１１Ａ，１１Ｂ…接続配線導体、
１２…ＤＣ／ＤＣコンバータ、
９０…コンセント。
【図１】
2012160785.tif 000003
【図２】
2012160785.tif 000004
【図３】
2012160785.tif 000005
【図４】
2012160785.tif 000006
【図５】
2012160785.tif 000007
【図６】
2012160785.tif 000008
【国際調査報告】
2012160785.tif 000009
2012160785.tif 000010